(57)【要約】【課題】魚の口の外から釣り針が見えない場合でも、魚から釣り針を外すことができる釣り針外し用ペンチを提供すること。【解決手段】釣り針を挟み込む密着面１０６Ａ、１０６Ｂと軸部材１０３との間に切り欠き面１０７Ａ、１０７Ｂを設け、これらの切り欠き面１０７Ａ、１０７Ｂの間に釣り糸を通すことができるようにすることで、釣り糸に沿って釣り針の引っかかっている位置にまで、挟持部密着面２０４を挿入することができるようにした釣り針外し用ペンチ１００を提供する。【選択図】図１
2004329041.tif 000002
【特許請求の範囲】
【請求項１】
第一の部材と第二の部材とをそれぞれの任意の一点のまわりに回動自在に連結し、前記第一の部材及び前記第二の部材には、前記一点を中心として、一方の側に一対の取っ手部を形成し、他方の側に一対の挟持部を形成することにより、一対の前記取っ手部を閉じることで、前記挟持部の相対向する対向面同士が密着する第一の姿態と、一対の前記取っ手部を開くことで、前記対向面同士が密着しない第二の姿態と、をとることができるようにし、
前記対向面の間に、釣り針を挟み込むことができるようにした釣り針外し用ペンチであって、
一対の前記対向面のうち少なくとも何れか一方には、その先端部側に前記対向面の他方に密着する密着面と、前記密着面と前記一点との間に前記他方に密着しない切り欠き面と、を形成することにより、前記第一の姿態にある場合に、前記他方と前記切り欠き面との間に釣り糸を通すことができる間隙を設けたことを特徴とする釣り針外し用ペンチ。
【請求項２】
前記間隙は、前記対向面の長手方向に延びるスリットであることを特徴とする請求項１に記載の釣り針外し用ペンチ。
【請求項３】
一対の前記挟持部は、前記挟持部を開閉する方向と垂直な方向に湾曲していることを特徴とする請求項１又は２に記載の釣り針外し用ペンチ。
【請求項４】
前記挟持部の先端部が下方に位置するように前記釣り針外し用ペンチを水平面上に置いた際に、前記釣り針外し用ペンチが水平になるように、前記挟持部は湾曲していることを特徴とする請求項３に記載の釣り針外し用ペンチ。
【請求項５】
前記密着面又は前記対向面のうち前記密着面に対向する部分の少なくとも何れか一方には、滑り止め加工が施されていることを特徴とする請求項１乃至４の何れか一項に記載の釣り針外し用ペンチ。
【請求項６】
前記切り欠き面と前記一点との間又は前記対向面のうち前記切り欠き面に対向する部分と前記一点との間の少なくとも何れか一方には、物を挟み込むことにより切断することができる切断手段が設けられていることを特徴とする請求項１乃至５の何れか一項に記載の釣り針外し用ペンチ。
【発明の詳細な説明】
【０００１】
【発明の属する技術分野】
本発明は、魚から釣り針を外す釣り針外し用ペンチに関する。
【０００２】
【従来の技術】
従来の釣り針外し用ペンチは、第一の部材と第二の部材とをそれぞれの任意の一点のまわりに回動自在に連結し、第一の部材及び第二の部材には、その任意の一点を中心として一方の側に一対の取っ手部を形成し、他方の側に一対の挟持部を形成することにより、一対の取っ手部を閉じることで一対の挟持部の相対向する対向面同士が密着する第一の姿態と、一対の取っ手部を開くことで、対向面同士が密着しない第二の姿態と、をとることができるようにし、これらの対向面の間に釣り針を挟み込むことにより、魚から釣り針を外すことができるようにしていた（例えば、特許文献１及び２参照）。
【０００３】
【特許文献１】
登録実用新案第３０３８１９６号公報
【０００４】
【特許文献２】
特開２００１−３４６４９１号公報
【０００５】
【発明が解決しようとする課題】
しかしながら、従来の釣り針外し用ペンチでは、魚の口の中をその外からのぞき込んで、引っかかっている釣り針の位置を確認しながら、挟持部の対向面でこの釣り針を挟み込む必要があり、魚が釣り針を飲み込んで、魚の口の外からこの釣り針が見えない場合には、釣り針を挟み込むことができずに不便であった。
【０００６】
そこで、本発明は、魚の口の外から釣り針が見えない場合でも、魚から釣り針を外すことができる釣り針外し用ペンチを提供することを目的とする。
【０００７】
【課題を解決するための手段】
以上の課題を解決するため、本発明は、第一の部材と第二の部材とをそれぞれの任意の一点のまわりに回動自在に連結し、前記第一の部材及び前記第二の部材には、前記一点を中心として、一方の側に一対の取っ手部を形成し、他方の側に一対の挟持部を形成することにより、一対の前記取っ手部を閉じることで、前記挟持部の相対向する対向面同士が密着する第一の姿態と、一対の前記取っ手部を開くことで、前記対向面同士が密着しない第二の姿態と、をとることができるようにし、前記対向面の間に、釣り針を挟み込むことができるようにした釣り針外し用ペンチであって、一対の前記対向面のうち少なくとも何れか一方には、その先端部側に前記対向面の他方に密着する密着面と、前記密着面と前記一点との間に前記他方に密着しない切り欠き面と、を形成することにより、前記第一の姿態にある場合に、前記他方と前記切り欠き面との間に釣り糸を通すことができる間隙を設けたことを特徴とする釣り針外し用ペンチを提供する。
【０００８】
このように、第一の部材及び第二の部材の少なくとも何れか一方の対向面に段差をつけて、釣り針を挟み込む密着面と釣り針を通す切り欠き面を形成し、相対向する対向面の間に間隙を設けることにより、この間隙に釣り糸を通し、この釣り糸に沿って釣り針外し用ペンチを魚の口に挿入することにより、釣り針が魚の口の外から見えない場合でも、釣り糸に沿って釣り針外し用ペンチを釣り針が引っかかっている位置に到達させることができるようになる。
【０００９】
なお、間隙の形状については、釣り糸を通すことができる形状であればどのような形状であっても良いが、挟持部における対向面の長手方向に延びるスリットとして形成することが望ましい。
【００１０】
ここで、一対の挟持部を、これらの挟持部を開閉する方向と垂直な方向に湾曲させておくことにより、釣り糸に沿ってこの釣り針外し用ペンチを魚の口から挿入する際に、この釣り針外し用ペンチが魚の口に引っかかることがなくなり便利である。
【００１１】
即ち、魚の口の中において釣り針が引っかかっている側とは逆の側に、湾曲された挟持部の先端部が向くようにして、魚の口の中にこの釣り針外し用ペンチを挿入していくことで、この先端部が魚の口に引っかかることがなくなる。
【００１２】
ここで、挟持部の先端部が下方に位置するようにこの釣り針外し用ペンチを水平面上に置いた際に、釣り針外し用ペンチが水平になるように、挟持部を湾曲させておくことで、この釣り針外し用ペンチを床等の水平面上に安定して置いておくことができるようになる。
【００１３】
なお、この密着面又は対向面のうちこの密着面に対向する部分の少なくとも何れか一方には、滑り止め加工を施しておくことにより、釣り針を確実に挟み込むことができるようになる。
【００１４】
また、切り欠き面と連結部との間又は対向面のうち切り欠き面と対向する部分と連結部との間の少なくとも何れか一方には、物を挟み込むことにより切断することができる切断手段を設けておくことにより、この切断手段により釣り糸等を切断することができるようになる。
【００１５】
【発明の実施の形態】
図１は、本発明の第一の実施形態に係る釣り針外し用ペンチ１００の上方斜視図である。
【００１６】
釣り針外し用ペンチ１００は、第一の部材１０１と、第二の部材１０２と、を任意の一点のまわりに回動自在に連結することにより形成されている。
【００１７】
即ち、第一の部材１０１と、第二の部材１０２と、は、そのほぼ中央部において、軸部材１０３により回動自在に連結されており、この軸部材１０３を中心として、一方側（図１のＳ側）には一対の挟持部１０４が設けられており、他方側（図１のＴ側）には一対の取っ手部１０５が設けられている。
【００１８】
ここで、一対の挟持部１０４の相対向する対向面１０８Ａ、１０８Ｂには、挟持部１０４の先端部１０４ａ側に密着面１０６Ａ、１０６Ｂが形成されており、また、この密着面１０６Ａ、１０６Ｂと軸部材１０３との間に切り欠き面１０７Ａ、１０７Ｂが設けられている。
【００１９】
そして、第一の部材１０１と第二の部材１０２とは、軸部材１０３により回動自在に取り付けられているため、図１に表されているように、取っ手部１０５を閉じることにより、挟持部１０４の先端部１０４ａ側に設けられている密着面１０６Ａ、１０６Ｂが密着した第一の姿態をとることができ、また、取っ手部１０５を開くことにより、密着面１０６Ａ、１０６Ｂが密着していない第二の姿態をとることができるようにされている。
【００２０】
また、上述したように、挟持部１０４の相対向する対向面１０８Ａ、１０８Ｂには、切り欠き面１０７Ａ、１０７Ｂが設けられているため、密着面１０６Ａ、１０６Ｂを密着させた第一の姿態をとった場合に、これらの切り欠き面１０７Ａ、１０７Ｂの間に、釣り糸を通すことができる間隙１１０が形成される。
【００２１】
ここで、本実施形態では、間隙１１０は、対向面１０８Ａ、１０８Ｂの長手方向に延びるスリット状に形成している。
【００２２】
なお、取っ手部１０５には、この取っ手部１０５を握る際に手が滑ってしまうことを防止するため、樹脂製のカバー１１４Ａ、１１４Ｂが被せられている。
【００２３】
以上のように、本発明の第一の実施形態に係る釣り針外し用ペンチ１００を形成したので、図２に表されている縦断面図のように、切り欠き面１０７Ａ、１０７Ｂの間に設けられている間隙１１０の間に釣り糸１２０を通し、この釣り糸１２０に沿って魚１２１の口１２２の中に挟持部１０４を挿入させていくことで、釣り糸１２０に沿って釣り針外し用ペンチ１００を釣り針１２３が引っかかっている位置にまで到達させることができ、密着面１０６Ａ、１０６Ｂの間に釣り針１２３を挟み込むことで、この釣り針１２３を外すことができるようになる。
【００２４】
図３は、本発明の第二の実施形態に係る釣り針外し用ペンチ２００の上方斜視図である。
【００２５】
本実施形態に係る釣り針外し用ペンチ２００は、挟持部２０４が、挟持部２０４を開閉する方向（図３のＸ、Ｘ’方向）に対して垂直をなす方向（図３のＹ方向）に湾曲している点を除いて第一の実施形態に係る釣り針外し用ペンチ１００と同様の構成を有しているため、以下、相異点のみを説明する。
【００２６】
本実施形態においては、挟持部２０４が、その先端部２０４ａ側において、この挟持部２０４の開閉方向（図３のＸ、Ｘ’方向）に垂直をなす方向（図３のＹ方向）に湾曲している。
【００２７】
このように、挟持部２０４を湾曲させることにより、魚の口にこの挟持部２０４を差し込む際に、この挟持部２０４の先端２０４ａが魚の口の内部に引っかかってしまうことを防止することができるともに、外から魚の口の内部を見る方向と、釣り針外し用ペンチ２００が延びる方向とが異なっているため、魚の口の内部の状況を確認しながら、先端２０４ａを挿入することができる。
【００２８】
ここで、挟持部２０４をいかなる部分において湾曲させるかは、挟持部２０４の先端２０４ａが魚の口に引っかかるのを防止すること、及び、魚の口の内部の状況を確認しながら挟持部２０４の先端２０４ａを魚の口に挿入できること、といった目的を達成することができる範囲で適時選択することができる設計事項である。
【００２９】
なお、図４に表されているように、この湾曲されている部分の高さＺを、挟持部２０４の先端部２０４ａが下方に位置するように釣り針外し用ペンチ２００を床２２４等の水平面上に置いた際に、この釣り針外し用ペンチ２００が水平になるようにすることで、この釣り針外し用ペンチ２００を床２２４等に安定して置いておくことができるようになる。
【００３０】
図５は、本発明の第三の実施形態に係る釣り針外し用ペンチ３００の上方斜視図である。
【００３１】
本実施形態に係る釣り針外し用ペンチ３００は、密着面３０６Ａ、３０６Ｂに滑り止め加工が施されている点を除いて第二の実施形態に係る釣り針外し用ペンチ２００と同様の構成を有しているため、以下、相異点のみを説明する。
【００３２】
本実施形態に係る釣り針外し用ペンチ３００では、密着面３０６Ａ、３０６Ｂに、図６に表されているように、滑り止め加工としてクロス状の凹部３１１と凸部３１２とを設けておくことにより、これらの密着面３０６Ａ、３０６Ｂの間に釣り針を挟み込んだ場合に、これらの凹部３１１と凸部３１２との間に釣り針が引っかかり、この釣り針を確実に挟み込むことができるようにしている。
【００３３】
なお、本実施形態では、密着面３０６Ａ、３０６Ｂに凹部３１１と凸部３１２とを設けることにより滑り止め加工を施すこととしたが、例えば、これらの密着面３０６Ａ、３０６Ｂにゴム等の樹脂を貼り付けることにより、滑り止め加工とすることもできる。
【００３４】
図７は、本発明の第四の実施形態に係る釣り針外し用ペンチ４００の上方斜視図である。
【００３５】
本実施形態に係る釣り針外し用ペンチ４００は、切り欠き面４０７Ａ、４０７Ｂと軸部材１０３との間の対向面４０８Ａ、４０８Ｂに刃部４１３Ａ、４１３Ｂが設けられている点を除いて、第二の実施形態に係る釣り針外し用ペンチ２００と同様の構成を有しているため、以下、相異点のみを説明する。
【００３６】
本実施形態に係る釣り針外し用ペンチ４００では、図８に表されているように、切り欠き面４０７Ａ、４０７Ｂと軸部材１０３との間の対向面４０８Ａ、４０８Ｂに、他方の対向面４０８Ａ、４０８Ｂに対して凸となるように刃部４１３Ａ、４１３Ｂを形成している。
【００３７】
したがって、これらの刃部４１３Ａ、４１３Ｂの間に釣り糸等の物を挟み込むことで、この釣り糸等の物を切断することができるようにされている。
【００３８】
なお、以上に記載した実施形態に係る釣り針外し用ペンチ１００、２００、３００、４００においては、これらの切り欠き面１０７Ａ、１０７Ｂ、２０７Ａ、２０７Ｂ、３０７Ａ、３０７Ｂ、４０７Ａ、４０７Ｂの間に形成されている間隙１１０は、対向面１０８Ａ、１０８Ｂ、２０８Ａ、２０８Ｂ、３０８Ａ、３０８Ｂ、４０８Ａ、４０８Ｂの長さ方向に延びるスリット状に形成しているが、この間隙１１０の形状及び大きさについては、釣り糸を通すことができる形状及び大きさとなるように適時選択して形成すればよい。
【００３９】
また、これらの実施形態では、切り欠き面１０７Ａ、１０７Ｂ、２０７Ａ、２０７Ｂ、３０７Ａ、３０７Ｂ、４０７Ａ、４０７Ｂを対向面１０８Ａ、１０８Ｂ、２０８Ａ、２０８Ｂ、３０８Ａ、３０８Ｂ、４０８Ａ、４０８Ｂの両方に形成したが、これらの対向面１０８Ａ、１０８Ｂ、２０８Ａ、２０８Ｂ、３０８Ａ、３０８Ｂ、４０８Ａ、４０８Ｂの間に釣り糸を通すことができる間隙１１０を開けることができれば、対向面１０８Ａ、１０８Ｂ、２０８Ａ、２０８Ｂ、３０８Ａ、３０８Ｂ、４０８Ａ、４０８Ｂの何れか一方にのみ切り欠き面１０７Ａ、１０７Ｂ、２０７Ａ、２０７Ｂ、３０７Ａ、３０７Ｂ、４０７Ａ、４０７Ｂを形成することも可能である。
【００４０】
【発明の効果】
以上のように、本発明によれば、釣り針が見えない場合でも、魚から釣り針を外すことができる釣り針外し用ペンチを提供することができる。
【００４１】
即ち、釣り針を挟み込む挟持部に形成された間隙に釣り糸を通し、この釣り糸に沿って釣り針外し用ペンチを魚の口から挿入することにより、釣り針が引っかかっている箇所にまで到達することができるようになる。
【図面の簡単な説明】
【図１】第一の実施形態に係る釣り針外し用ペンチ１００の上方斜視図。
【図２】釣り針外し用ペンチ１００の使用例を表す縦断面図。
【図３】第二の実施形態に係る釣り針外し用ペンチ２００の上方斜視図。
【図４】釣り針外し用ペンチ２００を床２２４に置いた状態を表す側面図。
【図５】第三の実施形態に係る釣り針外し用ペンチ３００の上方斜視図。
【図６】密着面３０６Ａ、３０６Ｂの拡大図。
【図７】第四の実施形態に係る釣り針外し用ペンチ４００の上方斜視図。
【図８】刃部４１３Ａ、４１３Ｂの拡大図。
【符号の説明】
１００、２００、３００、４００  釣り針外し用ペンチ
１０１  第一の部材
１０２  第二の部材
１０３  軸部材
１０４、２０４、３０４、４０４  挟持部
１０５  取っ手部
１０６、２０６、３０６、４０６  密着面
１０７、２０７、３０７、４０７  切り欠き面
１０８、２０８、３０８、４０８  対向面
１１０  間隙
３１１  凹部
３１２  凸部
４１３  刃部
【図１】
2004329041.tif 000003
【図２】
2004329041.tif 000004
【図３】
2004329041.tif 000005
【図４】
2004329041.tif 000006
【図５】
2004329041.tif 000007
【図６】
2004329041.tif 000008
【図７】
2004329041.tif 000009
【図８】
2004329041.tif 000010